【手続補正書】
【提出日】平成25年3月14日(2013.3.14)
【手続補正１】
【補正対象書類名】明細書
【補正対象項目名】００５４
【補正方法】変更
【補正の内容】
【００５４】
Ｒｘは、式（５）〜（１９）の化合物における置換基Ｒ４１〜Ｒ５６のいずれかを指す。従って、式（５）、（１２）及び（１６）の化合物において、Ｒｘは置換基Ｒ41〜Ｒ48のいずれかを表す。従って、式（９）及び（１４）において、Ｒｘは置換基Ｒ41〜Ｒ49のいずれかを表し、式（１０）の化合物において、置換基Ｒ41〜Ｒ51のいずれかを表し、式（１１）、（１７）及び（１８）の化合物において、置換基Ｒ41〜Ｒ52のいずれかを表し、式（１３）及び（１５）の化合物において、置換基Ｒ41〜Ｒ53のいずれかを表し、式（１９）の化合物において、置換基Ｒ41〜Ｒ56のいずれかを表し、式（１９ａ）の化合物において、置換基Ｒ41及びＲ42のいずれかを表す。
一実施態様によると、置換基Ｒｘは１〜５０個の炭素と１又は２個以上のヘテロ原子を含む炭化水素から選択され、式（５）〜（１９ａ）のいずれの化合物における（ＸＶ）とも異なる前記炭化水素はアルキル、アルケニル、アルキニル及びアリールから選択され、当該アルキル、アルケニル、アルキニル及びアリールはさらに置換されているか置換されておらず、前記アルキル、アルケニル及びアルキニルは直鎖状、分岐状又は環状であることができ、前記アルキル、アルケニル、アルキニル及びアリール中の１又は２個以上の炭素原子は、−Ｏ−、−Ｃ（Ｏ）、−Ｃ（Ｏ）Ｏ−、−Ｓ−、−Ｓ（Ｏ）−、ＳＯ2−、−Ｓ（Ｏ）2（Ｏ）−、−Ｎ＝、−Ｐ＝、−ＮＲ’−、−ＰＲ’−、−Ｐ（Ｏ）（ＯＲ’）−、−Ｐ（Ｏ）（ＯＲ’）Ｏ−、−Ｐ（Ｏ）（ＮＲ’Ｒ’）−、−Ｐ（Ｏ）（ＮＲ’Ｒ’）Ｏ−、Ｐ（Ｏ）（ＮＲ’Ｒ’）ＮＲ’−、−Ｓ（Ｏ）ＮＲ’−及び−Ｓ（Ｏ）2ＮＲ’からなる群から選択されたいずれのヘテロ原子及び／又は基により置換されていてもよい。ここで、Ｒ’は、Ｈ、Ｃ１−Ｃ６アルキル（必要に応じて部分的又は完全にフッ素化されたもの）、及び／又はフェニル、あるいは単環式芳香族複素環（必要に応じて部分的又は完全にフッ素化されたもの）である。
【手続補正２】
【補正対象書類名】明細書
【補正対象項目名】００５６
【補正方法】変更
【補正の内容】
【００５６】
式（１８）の化合物の一実施態様によると、置換基Ｒ41、Ｒ42、Ｒ44、Ｒ45、Ｒ47、Ｒ48、Ｒ50及びＲ51のうちの１又は２以上は、先に定義したとおりの式（ＸＶ）の置換基から選択される。１又は２個以上の共役二重結合及び末端アンカー基を含むアルケニル置換基が開示されている国際公開第２００６／０３８８２３号を参照する。従来技術のアンカー基、例えばカルボン酸、ホスホン酸、スルホン酸又はそれらの塩がホスフィン酸基で置き換えられたかかる化合物が本発明により包含される。式（１８）の化合物の一実施態様によると、上記置換基（ＸＶ）において、Ａｍはビニレン（−Ｃ＝Ｃ−）及び／又は１，４−フェニレンであることができ、Ｍは１〜４の整数であることができる。一実施態様によると、Ｒ43、Ｒ46、Ｒ49及びＲ52は、好ましくは、Ｈ、置換及び非置換アルキル、置換及び非置換アリール、並びに非置換アルキルアリール（アルカリール）から独立に選択される。
【手続補正３】
【補正対象書類名】明細書
【補正対象項目名】００５７
【補正方法】変更
【補正の内容】
【００５７】
式（１９）の化合物の一実施態様によると、置換基Ｒ42、Ｒ43、Ｒ46、Ｒ47、Ｒ50、Ｒ51、Ｒ54及びＲ55のうちの１又は２以上は、先に定義したとおりの式（ＸＶ）の置換基から選択される。国際公開第２００８／１４５１７２号に開示されている化合物を参照する。国際公開第２００８／１４５１７２号の記載内容全体を引用により本明細書に援用する。本発明は、国際公開第２００８／１４５１７２号に開示されているような置換フタロシアニン化合物において、カルボン酸（−ＣＯＯＨ）アンカー基がホスフィン酸（−Ｐ（Ｒ1）（Ｒ2）ＯＯＨ）アンカー基により置き換えられたものを包含する。従って、一実施態様によると、Ｒ53〜Ｒ56から選択された１つは式（ＸＶ）のアンカー配位子であることができ、Ｒ41〜Ｒ44のうちの少なくとも１つ、Ｒ45〜Ｒ48のうちの少なくとも１つ及び／又はＲ49〜Ｒ52のうちの少なくとも１つはアルキル、好ましくは分岐アルキル、例えばｔｅｒｔ−ブチルである。
一実施態様によると、式（１）の化合物の置換基Ｒ1及びＲ2の少なくとも１つは下記式（ＸＸ）の置換基に従うビピリジン構造を含む：
【手続補正４】
【補正対象書類名】明細書
【補正対象項目名】００７２
【補正方法】変更
【補正の内容】
【００７２】
第２の導電性層は、一般的に、対電極７の一部であり、例えば、透明ＩＴＯ（酸化インジウム錫）がプラスチック又はガラスにコートされていてプラスチック又はガラスを導電性にしたＩＴＯ被覆プラスチック又はガラスの場合のように、すでに基材の一部である。
従って、導電性層２および７の一方又は両方が透明金属酸化物、例えばインジウムドープ酸化錫（ＩＴＯ）、フッ素ドープ酸化錫（ＦＴＯ）、ＺｎＯ−Ｇａ2Ｏ3、ＺｎＯ−Ａｌ2Ｏ3、酸化錫、アンチモンをドープした酸化錫（ＡＴＯ）及び酸化亜鉛を含んでいてもよい。
【手続補正５】
【補正対象書類名】特許請求の範囲
【補正対象項目名】全文
【補正方法】変更
【補正の内容】
【特許請求の範囲】
【請求項１】
光電変換デバイス、バッテリー、キャパシター、エレクトロクロミックディスプレイ、化学センサー、生物センサー、発光ダイオード、電極、半導体、分離膜、選択的吸着剤、ＨＰＬＣ用吸着剤、触媒、インプラント、ナノ粒子、付着防止剤、腐食防止コーティング、又は光電変換デバイス、バッテリー、キャパシター、エレクトロクロミックディスプレイ、化学センサー、生物センサー、発光ダイオード、電極、半導体、分離膜、選択的吸着剤、ＨＰＬＣ用吸着剤、触媒、インプラント、ナノ粒子、付着防止剤、腐食防止コーティングの任意の組み合わせから選ばれるデバイス又はデバイス構造体であって、無機材料を含む表面を有し、前記無機材料に化合物が結合していて前記表面を修飾しており、前記化合物は下記式（１）：
【化１】
2012520822.tif 000001
（式中、Ｒ1 及びＲ2 は独立に、Ｈ、有機金属置換基及び有機置換基から選ばれ、ただし、Ｒ1 及びＲ2 のうちの少なくとも１つはＨでない）
により表されるホスフィン酸化合物である、デバイス又はデバイス構造体。
【請求項２】
前記無機材料が、鉱物、金属、酸化物、硫化物、ホスフェート、シリケート材料、およびこれらの２種又は３種以上を含む材料から選ばれる、請求項１に記載のデバイス又はデバイス構造体。
【請求項３】
前記無機材料が、シリカ、マイカ、金属、金属酸化物、金属硫化物、リン酸金属塩、マンガン酸金属塩、炭酸金属塩、及びチタン酸金属塩から選ばれる材料を含むか、シリカ、マイカ、金属、金属酸化物、金属硫化物、リン酸金属塩、マンガン酸金属塩、炭酸金属塩、及びチタン酸金属塩から選ばれる材料からなる、請求項１又は２に記載のデバイス又はデバイス構造体。
【請求項４】
前記無機材料が、アルミニウム、チタン、ジルコニウム、鉄、錫、金、銀、銅、黄銅、コバルト、ニオブ、バナジウム、タンタル及びクロム、並びにアルミニウム、チタン、ジルコニウム、鉄、錫、金、銀、銅、黄銅、コバルト、ニオブ、バナジウム、タンタル及びクロムの酸化物及び硫化物から選ばれた材料を含む、請求項１〜３のいずれか一項に記載のデバイス又はデバイス構造体。
【請求項５】
前記無機材料が、Ａｇ2Ｏ、ＡｌＴｉＯ3、ＢａＴｉＯ3、ＢｉＯ3、ＣｄＯ、ＣｄＦｅ2Ｏ4、Ｃｅ2Ｏ3、ＣｕＯ、Ｃｕ2Ｏ、ＣｕＴｉＯ3、ＦｅＯ、Ｆｅ2Ｏ3、Ｆｅ3Ｏ4、ＦｅＯＯＨ、ＦｅＴｉＯ3、Ｇａ2Ｏ3、ＨｇＯ、Ｈｇ2Ｎｂ2Ｏ7、Ｈｇ2Ｔａ2Ｏ7、Ｉｎ2Ｏ3、ＫＮｂＯ3、ＫＴａＯ3、Ｌａ2Ｏ3、ＬａＴｉ2Ｏ7、ＬｉＮｂＯ3、ＬｉＴａＯ3、ＭｇＴｉＯ3、ＭｎＯ、ＭｎＯ2、ＭｎＴｉＯ3、Ｎｂ2Ｏ5、Ｎｄ2Ｏ3、ＮｉＯ、ＮｉＴｉＯ3、ＰｂＯ、ＰｂＦｅ12Ｏ19、ＰｄＯ、Ｐｒ2Ｏ3、Ｓｂ2Ｏ3、Ｓｍ2Ｏ3、ＳｎＯ、ＳｎＯ2、ＳｒＴｉＯ3、Ｔａ2Ｏ5、Ｔｂ2Ｏ3、ＴｉＯ2、Ｔｌ2Ｏ3、Ｖ2Ｏ5、ＷＯ3、Ｙｂ2Ｏ3、ＹＦｅＯ3、ＺｎＯ、ＺｎＴｉＯ3、ＺｒＯ2、Ａｇ2Ｓ、ＡｇＡｓＳ2、ＡｇＳｂＳ2、Ａｓ2Ｓ3、ＣｄＳ、Ｃｅ2Ｓ3、ＣｏＳ、ＣｏＳ2、ＣｏＡｓＳ、ＣｕＳ、Ｃｕ2Ｓ、ＣｕＳ2、Ｃｕ3ＡｓＳ4、ＣｕＦｅＳ2、Ｃｕ5ＦｅＳ4、ＣｕＩｎＳ2、ＣｕＩｎ5Ｓ8、Ｄｙ2Ｓ3、ＦｅＳ、ＦｅＳ2、Ｆｅ3Ｓ4、ＦｅＡｓＳ、Ｇｄ2Ｓ3、ＨｆＳ2、ＨｇＳ、ＨｇＳｂ4Ｓ8、Ｉｎ2Ｓ3、Ｌａ2Ｓ3、ＭｎＳ、ＭｎＳ2、ＭｏＳ2、Ｎｄ2Ｓ3、ＮｉＳ、ＮｉＳ2、ＯｓＳ2、ＰｂＳ、Ｐｂ10Ａｇ3、Ｓｂ11Ｓ28、Ｐｂ2Ａｓ2Ｓ5、ＰｂＣｕＳｂＳ3、Ｐｂ5Ｓｎ3Ｓｂ2Ｓ14、Ｐｒ2Ｓ3、ＰｔＳ2、Ｒｈ2Ｓ3、ＲｕＳ2、Ｓｂ2Ｓ3、Ｓｍ2Ｓ3、ＳｎＳ、ＳｎＳ2、Ｔｂ2Ｓ3、ＴｉＳ2、ＴｌＡｓＳ2、ＷＳ2、ＺｎＳ、ＺｎＳ2、Ｚｎ3Ｉｎ2Ｓ6、及びＺｒＳ2から選ばれた材料を含む及び／又はから成る、請求項１〜４のいずれか一項に記載のデバイス又はデバイス構造体。
【請求項６】
式（１）の前記有機置換基が、１〜７０個の炭素原子及び０〜５０個の非金属ヘテロ原子を含む炭化水素であり、式（１）の前記有機金属置換基が１〜７０個の炭素原子、０〜５０個の非金属ヘテロ原子及び１〜１０個の金属原子を含む炭化水素である、請求項１〜５のいずれか一項に記載のデバイス又はデバイス構造体。
【請求項７】
Ｒ1及びＲ2が、Ｈ、直鎖状、分岐状又は環状のアルキル、アルケニル及びアルキニル並びにアリールから独立に選ばれ、直鎖状、分岐状又は環状のアルキル、アルケニル及びアルキニル並びにアリールはそれぞれ独立にさらに置換されていてもよく、１又は２個以上のヘテロ原子を含んでいてもよい、請求項１〜６のいずれか一項に記載のデバイス又はデバイス構造体。
【請求項８】
Ｒ1及びＲ2の少なくとも１つがＨ、有機発色団及び有機金属発色団から独立に選ばれる、請求項１〜７のいずれか一項に記載のデバイス又はデバイス構造体。
【請求項９】
Ｒ1及びＲ2のうちの少なくとも１つが、置換若しくは非置換アリール、又は置換若しくは非置換アリールで置換されたアルキル、アルケニル若しくはアルキニルを含み、ここで前記アリールは１又は２個以上のヘテロ原子を含んでいてもよく、置換基はアルキル、アルケニル、アルキニル、アリール及びアミンから独立に選ぶことができ、前記アルキル、アルケニル、アルキニル及びアリールの全てが１又は２個以上のヘテロ原子を含んでいてもよく、前記アミンは、前記アミン基の窒素原子に加えて１又は２個以上のヘテロ原子を含んでいてもよく、前記アルキル、アルケニル、アルキニル、アリール又はアミン置換基の全てが、アルキル、アルケニル、アルキニル及びアリールから選ばれた１又は２個以上のさらなる置換基により独立に置換されていてもよく、前記アルキル、アルケニル、アルキニル及びアリールは任意選択的に１又は２個以上のヘテロ原子を含んでいてもよい、請求項１〜８のいずれか一項に記載のデバイス又はデバイス構造体。
【請求項１０】
前記デバイス又はデバイス構造体が電極を含むバッテリーであり、前記電極が請求項１〜９のいずれか一項に記載の無機材料を含むことを特徴とする、請求項１〜９のいずれか一項に記載のデバイス又はデバイス構造体。
【請求項１１】
有機金属色素における配位子としての、請求項１及び６〜９のいずれか一項で定義される式（１）の化合物の使用。
【請求項１２】
無機表面、金属表面、酸化物表面又は硫化物表面に有機金属化合物又は有機化合物を固定するための請求項１及び６〜９のいずれか一項で定義される式（１）により表されるホスフィン酸化合物のホスフィン酸基の使用。
【請求項１３】
式（１）：
【化２】
2012520822.tif 000002
（式中、Ｒ1及びＲ2は請求項１及び６〜９のいずれか一項で定義したとおりである）
により表されるホスフィン酸化合物により修飾された表面を有する半導体フォトアノードを含む色素増感太陽電池。
【請求項１４】
式（１）により表される前記化合物が、増感色素、共吸着剤化合物、及び増感色素の配位子から選ばれる、請求項１３に記載の太陽電池。